(57)【要約】【課題】  本発明は、記録再生できない映像信号を劣化させることなく出力することができる情報記録再生装置を提供することを目的とする。【解決手段】  本発明の情報記録再生装置は、入力手段からの画像信号規格情報を検出する画像信号規格検出処理手段と、画像信号規格情報に基づき、映像信号及び画像信号規格情報を、所定の処理をすることなく出力させるか否かを切り換える出力切換手段とを備えた。【選択図】  図１
2005268904.tif 000002
【特許請求の範囲】
【請求項１】
映像信号の規格を記述した画像信号規格情報及び前記映像信号を記録可能な記録媒体に対して記録及び再生を行う情報記録再生装置であって、
前記映像信号及び画像信号規格情報を入力するためのD端子を含む入力手段と、
前記映像信号を出力する出力手段と、
前記入力手段からの前記画像信号規格情報を検出する画像信号規格検出処理手段と、
前記画像信号規格検出処理手段により検出した前記画像信号規格情報に基づき、前記入力手段から入力された前記映像信号及び前記画像信号規格情報を、所定の処理をすることなく前記出力手段から出力させるか否かを切り換える出力切換手段とを備えたことを特徴とする情報記録再生装置。
【請求項２】
前記出力切換手段を、前記画像信号規格情報より前記映像信号が前記記録媒体に記録できるか否かを判断し、記録できないと判断した場合には、前記入力手段から入力された前記映像信号及び前記画像信号規格情報を所定の処理をすることなく前記出力手段から出力させるように構成したことを特徴とする請求項１記載の情報記録再生装置。
【請求項３】
前記出力切換手段による前記入力手段から入力された前記映像信号及び前記画像信号規格情報を所定の処理をすることなく前記出力手段から出力するレベルを設定する出力切換設定手段を有し、
前記出力切換手段を、前記画像信号規格情報及び前記出力切換設定手段で設定されたレベルに応じて、前記映像信号及び前記画像信号規格情報を所定の処理をすることなく前記出力手段から出力させるように構成したことを特徴とする請求項１記載の情報記録再生装置。
【請求項４】
映像信号の規格を記述した画像信号規格情報及び前記映像信号を記録可能な記録媒体に対して記録及び再生を行う情報記録再生方法であって、
前記映像信号及び画像信号規格情報をD端子を含む入力手段から入力し、
入力された前記画像信号規格情報を検出し、
検出された前記画像信号規格情報に基づき、入力された前記映像信号及び前記画像信号規格情報を、所定の処理をすることなく出力させるか否かの切り換えを行うことを特徴とする情報記録再生方法。
【発明の詳細な説明】
【技術分野】
【０００１】
本発明は、光ディスクやハードディスク等の記録媒体を対象とする情報記録再生装置に関し、特にD端子等からの画像信号規格情報に応じた処理を行う情報記録再生装置に関する。
【背景技術】
【０００２】
近年、デジタル放送の一般化に伴い、デジタル放送に対応したインターフェース"Ｄ端子"が普及され始めている。これには、Ｄ１からＤ５まで種類があり、以下のような解像度の違いがある。
【０００３】
Ｄ１： ５２５ｉ
Ｄ２： ５２５ｉ、５２５ｐ
Ｄ３： ５２５ｉ、５２５ｐ、１１２５ｉ
Ｄ４： ５２５ｉ、５２５ｐ、１１２５ｉ、７５０ｐ
Ｄ５： ５２５ｉ、５２５ｐ、１１２５ｉ、７５０ｐ、１１２５ｐ
すなわち、これらの規格は、
１１２５ｉ：走査線数１１２５本（有効走査線数１０８０本）、飛び越し走査方式（インタレース）
７５０ｐ：走査線数７５０本（有効走査線数７２０本）、順次走査方式（プログレッシブ）
５２５ｐ：走査線数５２５本（有効走査線数４８０本）、順次走査方式（プログレッシブ）
５２５ｉ：走査線数５２５本（有効走査線数４８０本）、飛び越し走査方式（インタレース）
を意味している。しかしながら、現行機のＤＶＤの規格では、解像度的に７２０＊４８０本までしか対応していない。従って、Ｄ１以上の映像信号を与えたとき、現行のＤＶＤレコーダでは録画することができない。したがって、従来のＤＶＤレコーダでは、Ｄ端子の信号に対応した録画を行うことができないという問題がある。
【０００４】
上記問題点に対して、映像信号に重畳される画像信号規格情報であるＤ端子信号に対応する情報記録再生装置が考えられている。しかし、情報記録再生装置において、画像表示の解像度に制限がある場合がある。例えば、Ｄ１端子のみサポートしている場合である。このような場合には、Ｄ１以上の映像信号の記録再生処理を行うことができずに誤動作を生じるものと考えられ、これらの対策として、Ｄ１端子のみ対応の場合には、それ以外の映像信号に対しては画像縮小またはミュート処理を行うものがある(例えば、特許文献１参照)。
【特許文献１】特開2003-259271号公報
【発明の開示】
【発明が解決しようとする課題】
【０００５】
しかしながら、従来の装置では、記録再生できない場合は、ミュート、画像縮小、解像度を落とす等、高解像度（D5等）の画像信号をそのまま出力することは考慮されていなかった。
【０００６】
本発明は、記録再生できない映像信号を劣化させることなく出力することができる情報記録再生装置及び情報記録再生方法を提供することを目的とする。
【課題を解決するための手段】
【０００７】
上記目的を達成するために、本発明の情報記録再生装置は、映像信号の規格を記述した画像信号規格情報及び前記映像信号を記録可能な記録媒体に対して記録及び再生を行う情報記録再生装置であって、
前記映像信号及び画像信号規格情報を入力するためのD端子を含む入力手段と、
前記映像信号を出力する出力手段と、
前記入力手段からの前記画像信号規格情報を検出する画像信号規格検出処理手段と、
前記画像信号規格検出処理手段により検出した前記画像信号規格情報に基づき、前記入力手段から入力された前記映像信号及び前記画像信号規格情報を、所定の処理をすることなく前記出力手段から出力させるか否かを切り換える出力切換手段とを備えたことを特徴とする。
【０００８】
そして、画像信号規格情報に基づいて、映像信号及び画像信号規格情報を、所定の処理をすることなく出力させることにより、装置が対応していない映像信号を劣化させることなく出力することができる。
【０００９】
また、前記出力切換手段を、前記画像信号規格情報より前記映像信号が前記記録媒体に記録できるか否かを判断し、記録できないと判断した場合には、前記入力手段から入力された前記映像信号及び前記画像信号規格情報を所定の処理をすることなく前記出力手段から出力させるように構成したことを特徴とする。
【００１０】
そして、装置が記録できない映像信号及び画像信号規格情報であっても、所定の処理をすることなく出力するができるので、装置が誤動作，停止することがない。
【００１１】
また、前記出力切換手段による前記入力手段から入力された前記映像信号及び前記画像信号規格情報を所定の処理をすることなく前記出力手段から出力するレベルを設定する出力切換設定手段を有し、
前記出力切換手段を、前記画像信号規格情報及び前記出力切換設定手段で設定されたレベルに応じて、前記映像信号及び前記画像信号規格情報を所定の処理をすることなく前記出力手段から出力させるように構成したことを特徴とする。
【００１２】
また、本発明の情報記録再生方法は、映像信号の規格を記述した画像信号規格情報及び前記映像信号を記録可能な記録媒体に対して記録及び再生を行う情報記録再生方法であって、
前記映像信号及び画像信号規格情報をD端子を含む入力手段から入力し、
入力された前記画像信号規格情報を検出し、
検出された前記画像信号規格情報に基づき、入力された前記映像信号及び前記画像信号規格情報を、所定の処理をすることなく出力させるか否かの切り換えを行うことを特徴とする。
【発明の効果】
【００１３】
本発明によれば、記録再生できない映像信号を劣化させることなく出力することができる。
【発明を実施するための最良の形態】
【００１４】
以下、図面を参照して本発明の実施の形態を説明する。
【００１５】
図１は、本発明の情報記録再生装置に係る実施の形態の概略構成を示す図である。図１に示す情報記録再生装置は、ＤＶＤ又はハードディスクに記録されたプログラム等の情報を再生したり、およびＤＶＤ又はハードディスクにプログラム等の情報を記録したりする
。
【００１６】
図１に示すように、情報記録再生装置は、ＴＶチューナ部１２、Ｄ端子入力１３、入力切換部１４、エンコーダ／デコーダ部１５、Ｄ−ＰＲＯ（Data Processor）部１６、ＨＤＤ（ハードディスクドライブ）部１７、ディスクドライブ部１８、システムコントローラ部２０、キー入力部２５、表示部２６、ビデオミキシング部２７、Ｄ／Ａ２８、スルー出力切換部２９、Ｄ端子出力３０などを備えている。
【００１７】
システムコントローラ部２０は、画像信号規格情報検出処理部２１、グラフィック処理部２２、スルー出力切換処理部２３、スルー出力切換設定処理部２４等々を備えている。画像信号規格情報検出処理部２１は、Ｄ端子入力１３から入力される映像フォーマット識別信号から画像信号規格情報を抽出する。スルー出力切換設定処理部２４は、キー入力部２５から入力されるスルー出力切換情報に基づき画像信号規格情報に対してスルー出力切換設定情報を設定する。グラフィック処理部２２は、画像信号規格情報およびスルー出力切換設定条件に基づき出力情報画面表示データを生成する。スルー出力切換処理部２３は、画像信号規格情報およびスルー出力切換設定条件に基づきスルー出力切換信号を生成する。
【００１８】
録画は、ＨＤＤ部１７又はディスクドライブ部１８により行なわれる。例えば、ＨＤＤ部１７は、ディスクドライブ部１８によりＤＶＤ−ＲＡＭに録画されるデータと同じデータを記録し、ディスクドライブ部１８（ディスク）単独では難しい特殊処理（タイムシフト、書き込みエラー処理など）を実現可能としている。ＨＤＤ部１７は、例えば１６０ＧＢのハードディスクドライブである。さらに、このＨＤＤ部１７とディスクドライブ部１８の記録先であるＤＶＤ−ＲＡＭを組み合わせることにより、長時間の記録には、大容量のＨＤＤ１７を使用し、長期保存が必要な場合にはＤＶＤ−ＲＡＭを使用することにより、両者の長所をシステムに取り込むことができる。
【００１９】
映像信号の流れは、次のようになる。
本発明に係る情報記録再生装置には、ＴＶ録画をするためのチューナの他、外部映像機器からの映像・音声信号が入力される端子が設けられている。
【００２０】
外部機器１１からの映像信号はＤ端子入力１３を介して入力切換部１４へ供給される。入力切換部１４は、システムコントローラ２０を介したユーザの指示に応じてＤ端子入力１３またはＴＶチューナ１２からの映像信号のいずれか一方を選択し、この選択した映像信号をエンコーダ／デコーダ部１５へ供給する。
【００２１】
エンコーダ／デコーダ部１５は、入力切換部１４から入力された映像信号を所定フォーマットのデジタル信号に変換し、映像ストリームとしてＭＰＥＧ２エンコーダへ供給する。 ＭＰＥＧ２エンコーダは、入力された映像ストリーム及び音声ストリームをＭＰＥＧ２規格で圧縮符号化処理し、この圧縮符号化処理された記録ストリームをＤ−ＰＲＯ部１６へ出力する。
【００２２】
Ｄ−ＰＲＯ部１６は、例えば１６パック毎に２重にエラー訂正コードを付加し、ＥＣＣ（Error Correction Code）ブロックを形成する。このＤ−ＰＲＯ部１６で生成されたＥＣＣブロックのデータは、ディスクドライブ部１８によりディスクに記録されたり、又はＨＤＤ部１７に記録されたりする。
【００２３】
ディスクドライブ部１８、又はＨＤＤ部１７は再生時、この再生した再生ストリームをエンコーダ／デコーダ部１５へ出力する。ＭＰＥＧ２デコーダは、ディスクドライブ部１８、又はＨＤＤ部１７から入力された再生ストリームをＭＰＥＧ２デコードすることによ
り元の映像ストリーム、音声ストリームを得る。ＭＰＥＧ２デコーダは、映像ストリームをビデオミキシング部２７へ出力する。
【００２４】
ビデオミキシング部２７は、グラフィック処理部２２からの制御に応じたグラフィック処理、例えばユーザへの案内画面を作成して映像に多重し最終的に表示するための映像信号を映像Ｄ／Ａ変換回路２８へ出力する。映像Ｄ／Ａ変換器２８は、ビデオミキシング部２７から入力された映像ストリームをアナログ映像信号に変換してスルー出力切換部２９へ出力する。
【００２５】
スルー出力切換部２９は、ビデオミキシング部２７からの映像信号とＤ端子入力からの映像信号および画像信号規格情報（スルー出力）をスルー出力切換処理部２３に応じて切換へ、Ｄ端子出力３０へ出力する。
【００２６】
Ｄ端子出力３０は、スルー出力切換部２９から入力された映像信号および画像信号規格情報をＴＶ３１へ出力する。また、スルー出力切換部２９からの映像信号は図示しない他の映像端子へ出力しても良い。
【００２７】
次に、上記説明した情報記録再生装置によるＤ端子入力の記録再生について説明する。ここでは、例えばＤ端子の種類による情報記録再生装置の映像出力を選択するケースについて説明する。
【００２８】
まず、Ｄ端子について簡単に説明する。Ｄ端子には、Ｄ１〜Ｄ５まで種類があり、以下のような解像度の違いがある。
【００２９】
Ｄ１： ５２５ｉ
Ｄ２： ５２５ｉ、５２５ｐ
Ｄ３： ５２５ｉ、５２５ｐ、１１２５ｉ
Ｄ４： ５２５ｉ、５２５ｐ、１１２５ｉ、７５０ｐ
Ｄ５： ５２５ｉ、５２５ｐ、１１２５ｉ、７５０ｐ、１１２５ｐ
すなわち、これらの規格は、
５２５ｉ：走査線数５２５本（有効走査線数４８０本）、飛び越し走査方式（インタレース）
５２５ｐ：走査線数５２５本（有効走査線数４８０本）、順次走査方式（プログレッシブ）
７５０ｐ：走査線数７５０本（有効走査線数７２０本）、順次走査方式（プログレッシブ）
１１２５ｉ：走査線数１１２５本（有効走査線数１０８０本）、飛び越し走査方式（インタレース）
を意味している。
【００３０】
画像信号規格情報検出処理部２１では、図２のＤ端子の制御ライン仕様を示す図に応じて取り込んだ識別信号を取り出し、グラフィック処理部２２およびスルー出力切換処理部２３へ出力する。ここで図２の制御ライン仕様は、一例として、識別信号１と識別信号２と識別信号３とから表される。すなわち、識別信号１が５．０Ｖであれば、１０８０の走査線数、識別信号２が５．０Ｖなら、６０のプログレッシブ、識別信号３が５．０Ｖを示していれば、アスペクト比が１６：９の画像のスクイーズ信号であることを意味している。
【００３１】
次に、情報記録再生装置の解像度制限がＤ１端子のみ対応の際の処理について図３のフローチャートを参照に説明する。
まず、スルー出力切換設定処理部２４は解像度制限を設定する（ここではＤ１端子を設定）（ステップＳ１０１）。
【００３２】
画像信号規格情報検出処理部２１は、Ｄ端子入力１３の画像信号規格情報（識別信号）を取り込み、録画開始の際のＤ端子入力１３のステータスを検出する（ステップＳ１０２）。
【００３３】
そして、グラフィック処理部２２およびスルー出力切換処理部２３は、識別信号１の値をチェックし設定出力のＤ１端子であるかどうかを判断する（ステップＳ１０３）。
識別信号１の値が０Ｖの場合は走査線数を480としてスルー出力切換部２９を通常出力に設定する（ステップＳ１０４）。５Ｖの場合は走査線数を１０８０、２．２Ｖの場合は走査線数が７２０として設定出力でない場合は、例えば「解像度が違うためスルー出力します」等、その旨を表示し（ステップＳ１０５）、スルー出力切換部２９をスルー出力に設定する（ステップＳ１０６）。
【００３４】
次に、識別信号２の値がチェックされる（ステップＳ１０７）。値が０Ｖの場合はインタレースとして設定し、スルー出力切換部２９は通常出力のままとし、５Ｖの場合は、プログレッシブとして設定出力でない場合は、「設定出力と違うためスルー出力します」等、その旨を表示し（ステップＳ１０５）、スルー出力切換部２９をスルー出力に設定する（ステップＳ１０６）。以降プログラムが終了するまで繰り返す（ステップＳ１０８）。
【００３５】
そして、画像信号規格情報をチェックし、装置がD1端子にのみ対応している場合に、それ以外の解像度の映像信号が入力された場合には、映像信号に対してエンコーダ/デコーダ部15を介することなくスルー出力させることにより、映像信号の劣化が生じない。
【００３６】
ユーザ設定がＤ１端子のみ対応の際の処理について図４のフローチャートを参照に説明する。同一動作は同一符号を付与する。
【００３７】
まず、キー入力部２５からユーザが記録再生させる情報（ここではＤ１端子を設定）を入力し、スルー出力切換設定処理部２４へ出力する（ステップＳ１０９）。
【００３８】
スルー出力切換処理部２３は、スルー出力切換設定処理部２４の情報を取り込み、ユーザ設定により、Ｄ１〜Ｄ５の全Ｄ端子がスルー出力に設定されているか、特定のＤ端子に設定されているかを判断し（ステップＳ１１０）、全Ｄ端子がスルー出力に設定されている場合は、例えば「Ｄ端子はスルー出力します」等、その旨を表示し（ステップＳ１０５）、スルー出力切換部をスルー出力に設定する（ステップＳ１０６）。
【００３９】
また、特定のＤ端子に設定されている場合には（ここではＤ１端子）、画像信号規格情報検出処理部２１は、Ｄ端子の画像信号規格情報（識別信号）を取り込み、録画開始の際のＤ端子のステータスを検出する（ステップＳ１０２）。
【００４０】
そして、グラフィック処理部２２およびスルー出力切換処理部２３は、識別信号１の値をチェックし設定出力Ｄ１であるかどうかを判断する（ステップＳ１０３）。識別信号１の値が０Ｖの場合は走査線数を480としてスルー出力切換部を通常出力に設定する（ステップＳ１０４）。５Ｖの場合は走査線数を１０８０、２．２Ｖの場合は走査線数が７２０として設定出力でない場合は、例えば「設定出力と違うためスルー出力します」等、その旨を表示し（ステップＳ１０５）、スルー出力切換部をスルー出力に設定する（ステップＳ１０６）。
【００４１】
次に、識別信号２の値がチェックされる（ステップＳ１０７）。値が０Ｖの場合はイン
タレースとして設定し、５Ｖの場合は、プログレッシブとして設定出力でない場合は、同様に「設定出力と違うためスルー出力します」等、その旨を表示し（ステップＳ１０５）、スルー出力切換部をスルー出力に設定する（ステップＳ１０６）。以降プログラムが終了するまで繰り返す（ステップＳ１０８）。
【００４２】
そして、ユーザがどのD端子に対応するかを設定できるので、装置に対して、どのレベルに対応させるかを任意に設定することができる。
【００４３】
また、上記機能があれば、Ｄ端子出力を１系統のみしか持たない外部機器と接続する場合等、高解像度の映像を見る際のモニタと、情報記録再生装置との接続を変える手間を省くことができる。
【図面の簡単な説明】
【００４４】
【図１】本発明の一実施の形態による情報記録再生装置の概略構成図。
【図２】同実施の形態におけるＤ端子の制御ライン仕様の一例を示す図。
【図３】同実施の形態に係る情報記録再生装置の解像度制限がＤ１端子のみ対応の際の処理を示すフローチャート。
【図４】同実施の形態に係る情報記録再生装置のユーザ設定がＤ１端子のみ対応の際の処理を示すフローチャート。
【符号の説明】
【００４５】
１１  外部機器
１２  ＴＶチューナ部
１３  Ｄ端子入力
１４  入力切替部
１５  エンコーダ／レコーダ部
１６  Ｄ−Ｐｒｏ部
１７  ＨＤＤ部（ハードディスク）
１８  ディスクドライブ部
２０  システムコントローラ部
２１  画像信号規格情報検出処理部
２２  グラフィック処理部
２３  スルー出力切換処理部
２４  スルー出力切換設定処理部
２５  キー入力部
２６  表示部
２７  ビデオミキシング部
２８  Ｄ／Ａ
２９  スルー出力切換部
３０  Ｄ端子出力
３１  ＴＶ（テレビ）
【図１】
2005268904.tif 000003
【図２】
2005268904.tif 000004
【図３】
2005268904.tif 000005
【図４】
2005268904.tif 000006